(57)【要約】【課題】広視野角ディスプレイ装置とその製造方法を提供する。【解決手段】広視野角ディスプレイ装置は、ＭＶＡ−ＬＣＤ、或いは、ＩＰＳ−ＬＣＤ装置となる。複数の突起がガラス基板の内側表面に形成され、電極アレイは突起の頂部に形成される。よって、電極は、液晶セルギャップに設置され、横電界は電極により生成されて、液晶分子を駆動する。【選択図】      図３
2004184967.tif 000002
【特許請求の範囲】
【請求項１】
マルチドメイン垂直配向液晶ディスプレイＭＶＡ−ＬＣＤ装置である広視野角ディスプレイ装置であって、
互いに平行な上ガラス基板と下ガラス基板と、
前記上下ガラス基板間のスペースに形成された正誘電異方性の液晶層と、
前記上ガラス基板の内側表面に形成された複数の第一突起と、
前記第一突起の頂部に形成された複数のコモン電極と、
前記下基板の内側表面に形成され、前記第一突起と交互に配置された複数の第二突起と、
前記第二突起の頂部に形成され、前記コモン電極と交互に配置された複数の画素電極と、
からなり、
電圧を前記ディスプレイ装置に印加した後、横電界が、前記コモン電極と前記画素電極間に生成され、前記液晶分子を駆動し、二つの配向ドメインが前記第一突起の両側に形成されることを特徴とする装置。
【請求項２】
更に、
前記上基板上の前記第一突起と前記コモン電極とを被覆する第一配向層を備え、更に、前記下基板上の前記第二突起と前記画素電極とを被覆する第二配向層を備えることを特徴とする請求項１に記載の装置。
【請求項３】
前記コモン電極の頂部と、前記画素電極の頂部は、同一平面上にあることを特徴とする請求項１に記載の装置。
【請求項４】
マルチドメイン垂直配向液晶ディスプレイＭＶＡ−ＬＣＤ装置である広視野角ディスプレイ装置であって、
互いに平行な上ガラス基板と下ガラス基板と、
前記上下ガラス基板間のスペースに形成された正誘電異方性の液晶層と、
前記上ガラス基板の内側表面に形成された複数の第一突起と、
前記上ガラス基板の内側表面に形成された複数の第一コモン電極と、
前記下基板の内側表面に形成され、前記第一コモン電極に対応して位置する複数の第二コモン電極と、
前記下基板の内側表面に形成され、前記第二コモン電極と交互に配置される複数の第二突起と、
前記突起の頂部に形成され、前記第二コモン電極と交互に配置された複数の画素電極と、
からなり、
電圧を前記ディスプレイ装置に印加した後、横電界が、前記第二コモン電極と前記画素電極間に生成され、前記液晶分子を駆動し、二つの配向ドメインが前記突起の両側に形成されることを特徴とする装置。
【請求項５】
横電界液晶ディスプレイＩＰＳ−ＬＣＤ装置である広視野角ディスプレイ装置であって、
互いに平行な上ガラス基板と下ガラス基板と、
前記上下ガラス基板間のスペースに形成された液晶層と、
前記下ガラス基板の内側表面に形成された複数の第一突起と、
前記下基板の内側表面に形成され、前記第一突起と交互に配置された複数の第二突起と、
前記第一突起の頂部に形成された複数の第一電極と、
前記第二突起の頂部に形成され、前記第一電極と交互に配置された複数の第二電極と、
からなり、
電圧を前記ディスプレイ装置に印加した後、横電界が、前記第一電極と前記第二電極間に生成され、前記液晶分子を駆動することを特徴とする装置。
【請求項６】
広視野角ディスプレイ装置の製造方法であって、
ガラス基板を提供する工程と、
前記ガラス基板上に突起層を形成する工程と、
前記突起層をパターンして、複数の第一突起と第二突起とを形成し、前記第一突起と前記第二突起を交互に配置する工程と、
前記ガラス基板上に導電層を形成し、前記第一突起と前記第二突起とを被覆する工程と、
フォトリソグラフィとエッチングを実施して、前記第一突起の頂部と前記第二突起の頂部の外側の前記導電層を除去し、前記第一突起の頂部上の残りの前記導電層を第一電極とし、前記第二突起の頂部上の残りの前記導電層を第二電極とする工程と、
からなることを特徴とする方法。
【請求項７】
更に、
前記ガラス基板の内側表面に、複数の第三電極を形成する工程を含み、前記第三電極は前記第一突起と前記第二突起間に配置されることを特徴とする請求項６に記載の装置。
【発明の詳細な説明】
【０００１】
【発明の属する技術分野】
本発明は、広視野角ＬＣＤ（ｗｉｄｅ−ｖｉｅｗｉｎｇ  ａｎｇｌｅ  ＬＣＤ）に関するもので、特に、横電界を提供して、ＬＣ分子を駆動する、二つの基板間のＬＣセルギャップ（ＬＣ  ｃｅｌｌ  ｇａｐ）内に設置される電極アレイを備える、広視野角ＬＣＤ装置に関するものである。
【０００２】
【従来の技術】
公知の薄膜トランジスタ液晶ディスプレイＴＦＴ−ＬＣＤ装置は、回転偏光と二重屈折の特徴を有するＬＣ分子により、入射光線が明暗を表示する効果を達成し、この特性は、入射光の角度と関係するため、液晶ディスプレイは本質上、視角の問題を有しており、角度によって異なる表示品質を有し、視角が大きくなるにつれてコントラスト比が減少する。よって、ＴＦＴ−ＬＣＤ装置を大きい尺寸のディスプレイ製品に適用することが困難である。
【０００３】
近年、様々な広視野角技術が提案され、例えば、（１）光学補償膜、（２）マルチドメイン垂直配向（ＭＴＡ）、（３）横電界スイッチング（ｉｎ−ｐｌａｎｅ  ｓｗｉｔｃｈｉｎｇ、ＩＰＳ）がある。ＭＶＡ−ＬＣＤ装置は、負のＬＣ材、垂直配向膜、対称突起及び境界電界効果を利用し、二つの基板に形成された画素電極アレイとコモン電極アレイは、垂直電界を提供し、ＬＣ分子を駆動し、これにより、コントラスト比と反応速度を増加させて、グレイスケール反転と色ずれを解決する。ＩＰＳ−ＬＣＤ装置は、ねじれネマティック（ＴＮ）ＬＣ材と広視野角拡大膜を利用して、ＴＦＴアレイ基板に形成された画素電極アレイとコモン電極アレイが水平電界を提供して、ＬＣ分子を駆動し、これにより、異なる視角により生じる色ずれを解決し、視角を増加する。
【０００４】
図１Ａは、公知のＭＶＡ−ＬＣＤ装置の断面図である。図１Ｂは、図１Ａで示されるＬＣ分子の配向の変化を示す図である（特許文献１参照）。
【０００５】
図１Ａにおいて、ＭＶＡ−ＬＣＤセル１０は、上ガラス基板１２、下ガラス基板１４、上ガラス基板１２と下ガラス基板１４間のスペースを充填する負の異方性誘電常数を有するＬＣ層１６、からなる。二つの電極１８Ｉと１８ＩＩと、二つの垂直配向膜２０Ｉと２０ＩＩは、上ガラス基板１２と下ガラス基板１４の内側表面に形成される。一般に、上ガラス基板１２は、カラーフィルター基板となり、下ガラス基板１４は、薄膜トランジスタ基板となり、複数のＴＦＴとアクティブマトリクス駆動回路が形成される。
【０００６】
更に、ＬＣＤセル１０は、上ガラス基板１２内側表面に形成され、電極１８Ｉと垂直配向膜２０Ｉとに挟まれた複数の第一柱状突起２２Ｉと、下ガラス基板１４の内側表面に形成され、電極１８ＩＩと垂直配向膜２０ＩＩとに挟まれた複数の第二柱状突起２２ＩＩと、からなる配向制御基板を備える。電圧が印加される時、全ＬＣ分子は垂直配向膜２０Ｉと２０ＩＩに垂直に配置される。例えば、ＬＣ分子１６Ａは、上ガラス基板１２と下ガラス基板１４に垂直に配置される。突起２２Ｉと２２ＩＩ上のＬＣ分子１６Ｂは、垂直配向膜２０Ｉと２０ＩＩに垂直に配置され、ＬＣ分子１６Ｂは、上ガラス基板１２と下ガラス基板１４に対し、一定の角度の傾斜を表す。
【０００７】
図１Ｂにおいて、電圧がＬＣＤセル１０に印加された後、ＬＣ分子１６Ａと１６Ｂは、電界２４に対応する方向に回転し、電圧値に基づいて、一定の角度に傾斜する。矢印は、ＬＣ分子１６Ａと１６Ｂの回転方向を示す図である。画素領域において、二つの配向ドメインは、第一柱状突起２２Ｉ、２２ＩＩの両側に形成される。第一柱状突起２２Ｉ、２２ＩＩに近接して配置されるＬＣ分子１６Ａと１６Ｂは、電圧を印加する前に、予傾斜効果を有するが、電圧を印加した後、電極周辺に近接する電界により生成される回転効果と衝突して、反応速度を減速し、回位（ｄｉｓｃｌｉｎａｔｉｏｎ）が生じ、視角効果に影響を与える。
【０００８】
図２Ａは、公知のＩＰＳ−ＬＣＤ装置の断面図である。図２Ｂは、図２Ａで示されるＬＣ分子の配向の変化を示す図である（特許文献２参照）。
【０００９】
ＩＰＳ−ＬＣＤセル３０は、上ガラス基板３２、下ガラス基板３４、及び二つの基板３２、３４間のスペースに挿入され、上配向層３８Ｉと下配向層３８ＩＩ間に挟まれたＬＣ層３６と、からなる。ＴＦＴアレイ構造となる下ガラス基板３４は、複数のＴＦＴ、スキャンライン、データライン、コモン電極、画素電極、及びアクティブマトリクス駆動回路、からなる。二つの近接する電極４０Ｉと４０ＩＩは、データラインとコモン電極、又はコモン電極と、画素電極として機能する。駆動電圧がＩＰＳ−ＬＣＤ３０に印加された後、横電界４２は、二つの近接する電極４０Ｉと４０ＩＩ間に形成され、ＬＣ分子３６Ａ、３６Ｂ及び３６Ｃの長軸に平行であり、ＬＣ分子３６Ａ、３６Ｂ及び３６Ｃは平面で回転する。
【００１０】
データライン、コモン電極、画素電極が、下ガラス基板３４上に提供され、横電界４２の強度は、横電界４２が下基板３４から離れるにつれて弱くなる。よって、ＬＣ分子３６Ａ、３６Ｂを駆動する横電界４２の強度は、ＬＣ分子３６Ｃを駆動するそれよりも小さい。ＬＣ分子３６Ｃが下ガラス基板３４に近接し、横電界４２の高強度が提供されるが、境界条件のために、理想的な駆動効果が得られない。ＬＣ分子３６ＢなどのＬＣ層３６の中央は、比較的容易に駆動されるが、電界の強度が不足する。
【００１１】
【特許文献１】
欧州特許ＥＰ第０８８４６２６Ａ２号公報
【特許文献２】
米国特許第５９９５１８６号公報
【００１２】
【発明が解決しようとする課題】
本発明は、横電界を提供して、ＬＣ分子を駆動する、二つの基板間のＬＣセルギャップ内に設置される電極アレイを備える、広視野角ＬＣＤ装置を提供することを目的とする。
【００１３】
【課題を解決するための手段】
本発明は、ＭＶＡ−ＬＣＤを提供する。上ガラス基板と下ガラス基板が平行に配置され、正誘電異方性の液晶層が、上ガラス基板と下ガラス基板間のスペースに形成される。複数の第一突起が上ガラス基板の内側表面に形成される。複数のコモン電極は、第一突起の頂部に形成される。複数の第二突起は下基板の内側表面に形成され、第一突起と第二突起は、交互に配置されている。複数の画素電極は第二突起の頂部に形成され、画素電極とコモン電極は、交互に配置されている。電圧がディスプレイ装置に印加された後、横電界がコモン電極と画素電極間に生成され、液晶分子を駆動し、二つの配向ドメインは、第一突起の両側に形成される。
【００１４】
本発明は、ＭＶＡ−ＬＣＤ装置を提供する。上ガラス基板と下ガラス基板が平行に配置され、正誘電異方性の液晶層が上ガラス基板と下ガラス基板間のスペースに形成される。複数の第一コモン電極は上ガラス基板の内側表面に形成される。複数の第二コモン電極は下ガラス基板の内側表面に形成され、第二コモン電極は第一コモン電極に対応して配置されている。複数の突起が、下ガラス基板の内側表面に形成され、突起と第二コモン電極は交互に配置されている。複数の画素電極は、突起の頂部に形成され、画素電極と第二コモン電極は、交互に配置される。電圧がディスプレイ装置に印加された後、横電界は、第二コモン電極と画素電極との間に生成され、液晶分子を駆動し、二つの配向ドメインは、突起の両側に形成される。
【００１５】
本発明はＩＰＳ−ＬＣＤ装置を提供する。上ガラス基板と下ガラス基板は互いに平行で、液晶層は上ガラス基板と下ガラス基板間のスペースに形成される。複数の第一突起が下ガラス基板の内側表面に形成される。複数の第二突起は下ガラス基板の内側表面に形成され、第一突起と第二突起は、交互に配置される。複数の第一電極は第一突起の頂部に形成される。複数の第二電極は第二突起の頂部に形成され、第一電極と第二電極は交互に配置される。電圧がディスプレイ装置に印加された後、横電界は第一電極と第二電極間に生成されて、液晶分子を駆動する。
【００１６】
【発明の実施の形態】
上述した本発明の目的、特徴、及び長所をいっそう明瞭にするため、以下に本発明の好ましい実施の形態を挙げ、図を参照にしながらさらに詳しく説明する。
【００１７】
本発明は、広視野角ＬＣＤ装置を提供し、電極アレイが二つに基板間のＬＣセルギャップに形成されて、ＬＣ分子を駆動する横電界を提供する。広視野角ＬＣＤ装置の電極アレイ構造は、ＭＶＡ、或いは、ＩＰＳ−ＬＣＤ装置に適用される。
【００１８】
（第一具体例）
図３は、本発明の第一具体例によるＭＶＡ−ＬＣＤ装置を示す図である。ＭＶＡ−ＬＣＤ装置５０は、互いに平行な、透明ガラスの上基板５２と下基板５４からなり、ＬＣ層５６はそれらの間のスペースに形成される。上ガラス基板５２はカラーフィルターＣＦ基板となり、ブラックマトリクス層５８は、複数のカラー素子で部分的に被覆される。複数の第一突起６０Ｉはブラックマトリクス５８上に形成され、複数のコモン電極６２は、第一突起６０Ｉの頂部に形成される。更に、第一配向層６４Ｉは、ブラックマトリクス層５８の露出表面、第一突起６０Ｉとコモン電極６２に形成される。
【００１９】
下基板５４はＴＦＴアレイ基板となり複数のＴＦＴとアクティブマトリクス駆動回路が形成される。また、複数の第二突起６０ＩＩが下基板５４の内側表面に形成され、複数の画素電極６６は第二突起６０ＩＩの頂部に形成される。更に、第二配向層６４ＩＩは、下基板５４の露出表面と、第二突起６０ＩＩ、画素電極６６に形成される。
【００２０】
第一突起６０Ｉと第二突起６０ＩＩは交互に配置されるので、コモン電極６２と画素電極６６が交互に配置される。電圧がＭＶＡ−ＬＣＤ装置５０に印加された後、基板５２と５４に平行な横電界６８は、二つの近接したコモン電極６２と画素電極６６間に生成され、ＬＣ分子５６Ａ、５６Ｂを駆動する。一つの画素領域内で、二つの配向ドメインが第一突起６０Ｉの両側に形成される。同様に、二つの配向ドメインは第二突起６０ＩＩの両側で形成される。
【００２１】
第一突起６０Ｉの頂部に形成されるコモン電極６２は、ＬＣセルギャップ内に設置される。第二突起６０ＩＩの頂部に形成される画素電極６６もＬＣセルギャップ内に設置される。好ましくは、第一突起６０Ｉと第二突起６０ＩＩの厚さと形状を制御することにより、コモン電極６２と画素電極６６は、同一平面に形成される。また、コモン電極６２の頂部は、僅かな距離で、画素電極の頂部を超過する。従って、ＬＣセルギャップ内に設置されるコモン電極６２と画素電極６６は、第一突起６０Ｉと第二突起６０ＩＩ付近の予傾斜効果間の衝突（ｃｏｎｆｌｉｃｔ）と、周辺電界付近の回転効果を解決し、反応速度を増加させ、優れた視覚効果を提供する。
【００２２】
更に、ＬＣ層５６は好ましくは、正の光学を有する正の誘電異方性材である。ＬＣ分子にとって、長軸方向の屈折率は、垂直方向の屈折率より大きく、即ち、
【００２３】
【数１】
2004184967.tif 000003
である。電圧がＬＣＤ装置に印加される時、ＬＣ分子間の誘電係数の差は０より大きく、つまり、
【００２４】
【数２】
2004184967.tif 000004
で、電界に平行なＬＣ分子の回転方向を決定する。よって、ＭＶＡ−ＬＣＤ装置５０は高い反応速度を有する。
【００２５】
第一突起６０Ｉと第二突起６０ＩＩ、コモン電極６２と画素電極６６の形成方法は以下の通りである。まず、コーティング、或いは蒸着により、フォトレジスト層、ポリマー層、或いは酸化層が、基板上に形成されて、突起層６０となる。その後、現像を含むリソグラフィと、エッチングを含むフォトリソグラフィィにより、突起層６０の材質特徴に従って、突起層６０がパターンされて第一突起６０Ｉと第二突起６０ＩＩになる。次に、スパッタリング、或いは蒸着により、ＩＴＯ、或いはＡｌ合金の導電層が基板上に形成される。その後、フォトリソグラフィとドライエッチングにより、第一突起６０Ｉと第二突起６０ＩＩの頂部外側に設置された導電層が除去され、よって、残りの導電層がコモン電極６２と画素電極６６となる。第一突起６０Ｉと第二突起６０ＩＩ、コモン電極６２と画素電極６６の形状は、製品により、長方形、弧状、或いは、鋸歯状等、適切な形状に設計することが出来る。図４Ａで示される、ある好ましい形状設計では、第一突起６０Ｉと第二突起６０ＩＩはそれぞれ、
【００２６】
【外１】
2004184967.tif 000005
形状で、よって、コモン電極６２と画素電極６６も、
【００２７】
【外２】
2004184967.tif 000006
形状である。もう一つの形状は、図４Ｂで示されるように、第一突起６０Ｉと第二突起６０ＩＩはそれぞれ、┐形状、或いは、┌形状で、よって、コモン電極６２と画素電極６６は、┐形状、或いは、┌形状である。
【００２８】
（第二具体例）
図５は、本発明の第二具体例によるＭＶＡ−ＬＣＤ装置を示す図である。第二具体例のＭＶＡ−ＬＣＤ装置７０は、第一具体例のＭＶＡ−ＬＣＤ装置５０とほぼ同じで、異なるのは、上ガラス基板５２上に第一突起６０Ｉが形成されておらず、複数の第一コモン電極６２Ｉがブラックマトリクス層５８に形成されていることである。この他、下ガラス基板５４表面上に、第一コモン電極６２Ｉに対応する位置で、複数の第二コモン電極６２ＩＩを形成している。第一コモン電極６２Ｉと画素電極６６は交互に配置されているため、第二コモン電極６２ＩＩと画素電極６６は交互に配置される。
【００２９】
画素電極６６はＬＣセルギャップ内に設置され、コモン電極６２Ｉと６２ＩＩは二つの基板５２、５４の表面に形成されている。電圧がＭＶＡ−ＬＣＤ装置７０に印加された後、基板５２、５４に対し傾斜して、ＬＣ分子５６Ａと５６Ｂが横電界により駆動される。これにより、二つの配向ドメインが第二コモン電極６２ＩＩの両側に形成される。
【００３０】
また、ＬＣ層５６は好ましくは、正の光学を有する正の誘電異方性材であり、大きい誘電係数の差を有する。よって、ＭＶＡ−ＬＣＤ装置７０は高い反応速度を有する。
【００３１】
この他、第二具体例の第二突起６０ＩＩと画素電極の製造方法は、第一具体例と同様である。第二突起６０ＩＩ、コモン電極６２Ｉ、６２ＩＩ及び画素電極６６の形状は、製品により、長方形、弧状、或いは、鋸歯状等、適切な形状に設計することが出来る。図４Ａで示される、ある好ましい形状設計では、第二突起６０ＩＩ、画素電極６６、コモン電極６２Ｉ、６２ＩＩは、それぞれ、
【００３２】
【外３】
2004184967.tif 000007
形状である。もう一つの形状は、図４Ｂで示されるように、第二突起６０ＩＩ、画素電極６６、コモン電極６２Ｉ、６２ＩＩはそれぞれ、┐形状、或いは、┌形状である。
【００３３】
（第三具体例）
図６は、本発明の第三具体例によるＭＶＡ−ＬＣＤ装置を示す図である。ＩＰＳ−ＬＣＤ８０は、互いに平行な、透明ガラスの上基板８２と下基板８４とからなり、ＬＣ層はそれらの間のスペースに形成される。上基板８２はＣＦ基板となり、上基板８２の内側表面に形成された複数のカラー素子を備えるブラックマトリクス層８８と、ブラックマトリクス層８８上に形成された第一配向層９０Ｉとからなる。
【００３４】
ＴＦＴアレイ基板となる下基板８４は、複数のＴＦＴとアクティブマトリクス駆動回路とからなる。また、複数の第一突起９２Ｉと複数の第二突起９２ＩＩは、下基板８４の内側表面に交互に配置され、複数の第一電極９４Ｉは、第一突起９２Ｉの頂部に形成され、複数の第二電極９４ＩＩは、第二突起９２ＩＩの頂部に形成される。更に、第二配向層９０ＩＩは、第一突起９２Ｉと第二突起９２ＩＩの露出表面、第一電極９４Ｉと第二電極９４ＩＩ、及び下基板８４に形成される。
【００３５】
二つの近接する第一電極９４Ｉと第二電極９４ＩＩはデータラインとコモン電極となるか、又は、コモン電極と画素電極となる。電圧がＩＰＳ−ＬＣＤ装置８０に印加された後、二つの基板８２、８４に平行な横電界９６が第一電極９４Ｉと第二電極９４ＩＩ間に生成されて、ＬＣ分子を駆動し、よって、ＬＣ分子の面内回転は、広視野角を得る。
【００３６】
第一電極９４Ｉと第二電極９４ＩＩは、第一突起９２Ｉと第二突起９２ＩＩの頂部に設置されるため、第一電極９４Ｉと第二電極９４ＩＩは、ＬＣセルギャップ内に設置される。好ましくは、第一突起９２Ｉと第二突起９２ＩＩの厚さと形状を制御することにより、第一電極９４Ｉと第二電極９４ＩＩは、ＬＣセルギャップの中央で同一平面に形成される。よって、ＬＣセルギャップの中央での横電界９６の強度は教化され、そこに位置するＬＣ分子を効果的に駆動することが出来る。
【００３７】
第三具体例の第一突起９２Ｉと第二突起９２ＩＩ、第一電極９４Ｉと第二電極９４ＩＩの製造方法は、第一具体例と同じである。第一突起９２Ｉと第二突起９２ＩＩ、第一電極９４Ｉと第二電極９４ＩＩの形状は、製品により、長方形、弧状、或いは、鋸歯状等、適切な形状に設計することが出来る。好ましくは、図７において、第一突起９２Ｉと第二突起９２ＩＩ、第一電極９４Ｉと第二電極９４ＩＩはそれぞれ、
【００３８】
【外４】
2004184967.tif 000008
形状である。
【００３９】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【００４０】
【発明の効果】
反応速度を増加させ、優れた視覚効果を提供することが出来る。
【図面の簡単な説明】
【図１Ａ】公知のＭＶＡ−ＬＣＤ装置の断面図である。
【図１Ｂ】図１Ａで示されるＬＣ分子の配向の変化を示す図である。
【図２Ａ】公知のＩＰＳ−ＬＣＤ装置の断面図である。
【図２Ｂ】図２Ａで示されるＬＣ分子の配向の変化を示す図である。
【図３】本発明の第一具体例によるＭＶＡ−ＬＣＤ装置を示す図である。
【図４Ａ】図３で示される突起と電極の平面図である。
【図４Ｂ】図３で示される突起と電極の平面図である。
【図５】本発明の第二具体例によるＭＶＡ−ＬＣＤ装置を示す図である。
【図６】本発明の第三具体例によるＭＶＡ−ＬＣＤ装置を示す図である。
【図７】図６で示される突起と電極の平面図である。
【符号の説明】
５２  上ガラス基板
５４  下ガラス基板
５６Ａ、５６Ｂ  ＬＣ分子
８０  ＩＰＳ−ＬＣＤ
５６、８６  ＬＣ層
６８、７２、９６  横電界
５０、７０  ＭＶＡ−ＬＣＤ
５８、８８  ブラックマトリクス層
６０  突起層
６０Ｉ、９２Ｉ  第一突起
６０ＩＩ、９２ＩＩ  第二突起
６２  コモン電極
６４Ｉ、９０Ｉ  第一配向層
６４ＩＩ、９０ＩＩ  第二配向層
６６  画素電極
９４Ｉ  第一電極層
９４ＩＩ  第二電極層
【図１Ａ】
2004184967.tif 000009
【図１Ｂ】
2004184967.tif 000010
【図２Ａ】
2004184967.tif 000011
【図２Ｂ】
2004184967.tif 000012
【図３】
2004184967.tif 000013
【図４Ａ】
2004184967.tif 000014
【図４Ｂ】
2004184967.tif 000015
【図５】
2004184967.tif 000016
【図６】
2004184967.tif 000017
【図７】
2004184967.tif 000018